(57)【要約】【課題】ザッピング操作においてチューナの切替操作が不要となる放送受信装置及びリモコンを提供する。【解決手段】  チャンネル判別部５０２で第１のチューナ部１０２の全てのチャンネル情報が選択されたと判別した場合、チャンネル判別部５０２からチューナ制御部１１５を経由してチューナ判別部５０３へチューナ切替要求が行われ、チューナ判別部５０３はチューナ制御部１１５を経由してチューナ切替部１０５に対しチューナ切替制御を行い、第２のチューナ部１０４からの信号を映像・音声処理部１０６に出力する。第２のチューナ部１０４についても同様の動作を繰り返すことにより、ザッピング操作におけるチューナの切替操作が不要となる。【選択図】図１
2006319797.tif 000002
【特許請求の範囲】
【請求項１】
異なる放送形態を受信し、かつそれぞれが複数のチャンネルを選択可能な複数のチューナ部と、
前記複数のチューナ部から出力される信号の１つを選択し出力するチューナ切替部と、
前記チューナ切替部から出力された信号を処理する映像・音声処理部と、
前記複数のチューナ部のうち１つのチューナ部の全てのチャンネルが選択されたか否かを判別するチャンネル判別部と、  
少なくとも前記チューナ切替部の動作を制御するチューナ制御部とを備え、
前記チューナ制御部は、前記チャンネル判別部により前記複数のチューナ部のうち１つのチューナ部の全てのチャンネルが選択されたと判別された場合、前記チューナ切替部により前記映像・音声処理部への入力信号を自動的に他のチューナ部からの出力信号に切り替えることを特徴とする放送受信装置。
【請求項２】
前記チャンネル判別部を、
前記複数のチューナ部の各々のチューナ部のチャンネル情報の１つ１つに割り当てられ、チャンネルが選択されたときに値が変化する複数のフラグを有するチャンネル管理フラグ部と、
前記チャンネル管理フラグ部のチューナ部毎のフラグの値を乗算するチャンネル管理フラグ乗算
部と、
前記チャンネル管理フラグ乗算部の乗算結果に基づき、全てのチャンネルが選択されたと判別された場合、前記チューナ制御部へのチューナ切替要求信号を出力するチャンネル管理フラグ乗算結果判定部とで構成した請求項１記載の放送受信装置。
【請求項３】
前記チャンネル判別部を、
前記複数のチューナ部の各々のチューナ部において選択されたチャンネルの数を算出するチャンネル数算出部と、
前記チャンネル数算出部の算出結果に基づき、全てのチャンネルが選択されたと判別された場合、前記チューナ制御部へのチューナ切替要求信号を出力するチャンネル数算出結果判定部とで構成した請求項１記載の放送受信装置。
【請求項４】
前記複数のチューナ部の全てが選択されたか否かを判別するチューナ判別部を更に備えた請求項１〜３のいずれかに記載の放送受信装置。
【請求項５】
前記チューナ判別部を、
前記複数のチューナ部の１つ１つに割り当てられ、チューナ部が選択されたときに値が変化する複数のフラグを有するチューナ管理フラグ部と、
前記チューナ管理フラグ部のフラグの値を乗算するチューナ管理フラグ乗算部と、
前記チューナ管理フラグ乗算部の乗算結果に基づき、前記チューナ切替部への切替制御信号を出力するチューナ管理フラグ乗算結果判定部とで構成した請求項４記載の放送受信装置。
【請求項６】
前記チューナ管理フラグ乗算結果判別部より切替制御信号が出力された時、前記チャンネル管理フラグ部のフラグの値及び前記チューナ管理フラグ部のフラグの値を初期値に設定する請求項５記載の放送受信装置。
【請求項７】
前記チューナ判別部を、
前記複数のチューナ部のうち選択されたチューナ部の数を算出するチューナ数算出部と、
前記チューナ数算出部の算出結果に基づき、全てのチューナ部が選択されたと判別された場合、前記チューナ切替部への切替制御信号を出力するチューナ数算出結果判定部とで構成した請求項４記載の放送受信装置。
【請求項８】
前記映像・音声処理部より出力された映像信号により映像を表示するディスプレイ部と、前記映像・音声処理部より出力された音声信号により音声を出力するスピーカ部を更に備えた請求項１〜７のいずれかに記載の放送受信装置。
【請求項９】
前記映像・音声処理部の出力信号を外部に出力する映像・音声出力部を更に備えた請求項１〜７のいずれかに記載の放送受信装置。
【請求項１０】
異なる放送形態を受信し、かつそれぞれが複数のチャンネルを選択可能な複数のチューナ部と、前記複数のチューナ部から出力された信号を処理する映像・音声処理部とを備えた放送受信装置に使用されるリモコンであって、
前記複数のチューナ部から出力される信号の１つを選択し前記映像・音声出力部に出力するリモコンチューナ切替部と、  
前記複数のチューナ部のうち１つのチューナ部の全てのチャンネルが選択されたか否かを判別するリモコンチャンネル判別部と、
少なくとも前記リモコンチューナ切替部の動作を制御するリモコン制御部とを備え、
前記リモコン制御部は、前記リモコンチャンネル判別部により前記複数のチューナ部のうち１つのチューナ部の全てのチャンネルが選択されたと判別された場合、前記リモコンチューナ切替部により前記映像・音声処理部への入力信号を自動的に他のチューナ部からの信号に切り替えることを特徴とするリモコン。
【請求項１１】
前記リモコンチャンネル判別部を、
前記複数のチューナ部の各々のチューナ部のチャンネル情報の１つ１つに割り当てられ、チャンネルが選択されたときに値が変化する複数のフラグを有するチャンネル管理フラグ部と、
前記チャンネル管理フラグ部のチューナ部毎のフラグの値を乗算するチャンネル管理フラグ乗算
部と、
前記チャンネル管理フラグ乗算部の乗算結果に基づき、全てのチャンネルが選択されたと判別された場合、前記リモコンチューナ制御部へのチューナ切替要求信号を出力するチャンネル管理フラグ乗算結果判別部とで構成した請求項１０記載のリモコン。
【請求項１２】
前記リモコンチャンネル判別部を、
前記複数のチューナ部の各々のチューナ部において選択されたチャンネルの数を算出するチャンネル数算出部と、
前記チャンネル数算出部の算出結果に基づき、全てのチャンネルが選択されたかと判別された場合、前記リモコンチューナ制御部へのチューナ切替要求信号を出力するチャンネル数算出結果判定部とで構成した請求項１０記載のリモコン。
【発明の詳細な説明】
【技術分野】
【０００１】
本発明は、複数の放送形態を受信可能な放送受信装置、及びこれに用いるリモコンに関するものである。
【背景技術】
【０００２】
従来の放送受信装置、あるいは放送受信装置を制御するリモコンにおいて、ユーザが視聴する番組を探す際、連続的にチャンネル選択制御を行うリモコンのチャンネルアップやチャンネルダウンなどの一般にザッピングと呼ばれる操作が行われる。放送受信装置で複数の放送形態が受信できる場合、複数の放送形態の全てのチャンネルがザッピング対象となるため、ユーザが視聴を希望するチャンネルにたどり着くには、複数のチューナから１つのチューナを選択してチャンネル選択操作を行い、更に別のチューナを選択してチャンネル選択操作を行う必要があることから、操作が煩わしいという問題がある。  
【０００３】
以下、まずチューナの役割と、放送受信装置で複数の放送形態を受信する場合にチューナ切替が必要となる理由について説明する。
図１７に従来の放送受信装置の構成を示す。図１７において、第１のアンテナ１０１で１つの放送形態の電波を受信し、第１のチューナ部１０２で、チャンネル選択制御信号１１１で選択した信号を出力する。また、第２のアンテナ１０３で第１のアンテナとは異なる放送形態を受信し、第２のチューナ部１０４で、チャンネル選択制御信号１１２で選択した信号を出力する。
【０００４】
チューナ切替部１０５では、チューナ切替制御信号１１４に基づいて、第１のチューナ部１０２の出力と第２のチューナ部１０４の出力の何れか１つを選択し、映像・音声処理部１０６で映像信号・音声信号を処理して、ディスプレイ部１０７から映像を、スピーカ部１０８から音声をそれぞれ出力する。
【０００５】
リモコン受光部１０９や装置本体に設けられたＳＷ部１１０では、リモコン（図示せず）を介し、または直接ユーザからの操作信号を入力し、チューナ制御部１１５を介して放送受信装置を制御する。またラストチャンネル記憶部１１３では、ユーザが最後に視聴したチャンネル情報を記憶する。
【０００６】
図１８にチューナの役割を示す。図１８において、（Ａ）は第１のチューナ部の入出力関係、（Ｂ）は放送形態別に割り当てられた周波数帯、（Ｃ）は１つの放送局に割り当てられた周波数帯をそれぞれ示す。
放送形態には、地上波アナログ放送や地上波ディジタル放送、あるいはＢＳ・ＣＳディジタル放送など複数あり、放送形態別に割り当てられる周波数帯２０４は、放送形態別にも、あるいは国によっても異なる。さらに、１つの放送形態の中には複数の放送局があり、放送形態別に割り当てられた周波数帯２０４の中で、日本の場合は１つの放送局に対して６ＭＨｚづつの帯域幅２０５を割り当てて運用されている。
【０００７】
図１８の（Ａ）に示す第１のチューナ部１０２の端子２０１には放送形態別に割り当てられた周波数帯２０４の信号が入力し、その周波数帯から端子２０３に入力する制御信号で指定される放送局の信号を抽出し、６ＭＨｚの周波数帯２０５を一定の中心周波数２０６の信号として端子２０２から出力する。
【０００８】
一般に市販されているチューナには様々なものがあり、前記６ＭＨｚの周波数帯２０５を一定の中心周波数２０６の信号として出力した後に、例えばアナログ放送用のチューナでは、映像・音声処理部を設けて１つのパッケージとし、映像信号や音声信号を出力するものや、ディジタル放送用のチューナでは、信号処理部を設けて１つのパッケージとして、ＭＰＥＧ２−ＴＳ信号を出力するものなどがある。
【０００９】
故に、ここでチューナとは、アンテナで受信した放送形態毎に割り当てられた周波数帯２０４を入力し、ユーザが選択した６ＭＨｚの周波数帯２０５を一定の中心周波数２０６の信号として出力するものを云う。また、チャンネル選択とは、放送形態毎に割り当てられた帯域幅２０４の中から、任意の６ＭＨｚの周波数帯２０５を選択することを云う。また、チューナに対してアンテナで受信した放送形態毎に割り当てられた周波数帯２０４から、出力する６ＭＨｚの周波数帯２０５を選択する制御を、チャンネル選択制御と云う。
【００１０】
放送形態毎に変調方式や受信するためのアンテナ、あるいはアンテナを向ける方向などが異なることから、１つのチューナでは１つの放送形態が受信できる。したがって、複数の放送形態を受信するには、複数のチューナが必要となる。
【００１１】
一般に、放送受信装置は、なるべく安価に構成する必要があるため、複数のチューナからの出力を受信し、ディスプレイ部１０７やスピーカ部１０８から映像情報や音声情報を出力する画像・音声処理部１０６を１つで構成することから、複数のチューナの出力から１つの出力を選択するチューナ切替部１０５が必要となる。従って、複数の放送形態が受信できる放送受信装置には、第１のチューナ部１０２や第２のチューナ部１０４などの複数のチューナ部とチューナ切替部１０５が少なくとも必要であり、ザッピング操作においてもチューナ切替が必要となる。
【００１２】
そこで、ザッピング操作を容易にする手段として、チャンネル毎にユーザが選択した回数を履歴情報として保存し、選択頻度の多い順に番組表を構成する特許文献１に記載の方法が提案されている。
図１９に、複数の放送形態が受信できる従来の放送受信装置におけるザッピング操作のイメージを示す。図１９において、第１のチューナ部のチャンネル情報３０１と第２のチューナ部のチャンネル情報３０２の全てをザッピングするには、ユーザがリモコンやＳＷ部を操作してチャンネルアップやチャンネルダウンを行うチャンネルアップダウン操作３０３とチューナ切替操作３０４が必要である。
【００１３】
即ち、ザッピング操作におけるチャンネルアップダウン操作３０３は、前述したようにチューナ単位で行われるため、第１のチューナ部のチャンネル情報３０１と第２のチューナ部のチャンネル情報３０２の全てをザッピングするには、チューナ選択操作３０４が必ず必要となる。
【００１４】
図２０に、複数の放送形態が受信できる従来の放送受信装置におけるザッピング操作のフローを示す。図において、ザッピング操作を開始し（ステップ４０１）、同じ放送形態の別のチャンネルを選択するかどうかユーザが判断し（ステップ４０４）、表示されるチャンネルを視聴するかどうかユーザが判断して（ステップ４０２）、ザッピング操作が終了する（ステップ４０３）。
【００１５】
図２０のフローより、例えば、ユーザが第１のチューナ部のチャンネル情報３０１を視聴時にザッピング操作開始するものとし、第１のチューナ部のチャンネル情報３０１を一度チャンネルアップダウン操作（ステップ３０３）した後に、チューナ選択操作（ステップ３０４）を行い、第２のチューナ部のチャンネル情報３０２を視聴するとユーザが判断し（ステップ４０４）、ザッピング操作を終了する（ステップ４０３）までの最短ステップ数は、ザッピング操作開始（ステップ４０１）とザッピング操作終了（ステップ４０３）を除くと７ステップである。
【特許文献１】特開２００１−２３７７８９号公報
【発明の開示】
【発明が解決しようとする課題】
【００１６】
しかし、特許文献１に記載の方法において、１つのチューナに対するザッピング操作の数を減らしても、ザッピング操作に必要なステップ数は従来と変わらず、またザッピング操作の煩わしさの原因の１つであるチューナ選択操作が必要であるという課題は解決されない。
本発明は上記従来の課題を解決するもので、複数の放送形態を受信し、かつチューナ選択操作なしに連続してザッピング可能な手段を有した放送受信装置、及びリモコンを提供することを目的とする。
【課題を解決するための手段】
【００１７】
上記従来の課題を解決するため本発明の放送受信装置は、異なる放送形態を受信し、かつそれぞれが複数のチャンネルを選択可能な複数のチューナ部と、前記複数のチューナ部から出力される信号の１つを選択し出力するチューナ切替部と、前記チューナ切替部から出力された信号を処理する映像・音声処理部と、前記複数のチューナ部のうち１つのチューナ部の全てのチャンネルが選択されたか否かを判別するチャンネル判別部と、少なくとも前記チューナ切替部の動作を制御するチューナ制御部とを備え、前記チューナ制御部は、前記チャンネル判別部により前記複数のチューナ部のうち１つのチューナ部の全てのチャンネルが選択されたと判別された場合、前記チューナ切替部により前記映像・音声処理部への入力信号を自動的に他のチューナ部からの出力信号に切り替えることを特徴とする。
【００１８】
本発明の放送受信装置において、前記チャンネル判別部を、前記複数のチューナ部の各々のチューナ部のチャンネル情報の１つ１つに割り当てられ、チャンネルが選択されたときに値が変化する複数のフラグを有するチャンネル管理フラグ部と、前記チャンネル管理フラグ部のチューナ部毎のフラグの値を乗算するチャンネル管理フラグ乗算部と、前記チャンネル管理フラグ乗算部の乗算結果に基づき、全てのチャンネルが選択されたと判別された場合、前記チューナ制御部へのチューナ切替要求信号を出力するチャンネル管理フラグ乗算結果判定部とで構成してもよい。
【００１９】
同様に、前記チャンネル判別部を、前記複数のチューナ部の各々のチューナ部において選択されたチャンネルの数を算出するチャンネル数算出部と、前記チャンネル数算出部の算出結果に基づき、全てのチャンネルが選択されたと判別された場合、前記チューナ制御部へのチューナ切替要求信号を出力するチャンネル数算出結果判定部とで構成してもよい。
また本発明の放送受信装置において、前記複数のチューナ部の全てが選択されたか否かを判別するチューナ判別部を更に備えることが好ましい。
【００２０】
前記チューナ判別部を、前記複数のチューナ部の１つ１つに割り当てられ、チューナ部が選択されたときに値が変化する複数のフラグを有するチューナ管理フラグ部と、前記チューナ管理フラグ部のフラグの値を乗算するチューナ管理フラグ乗算部と、前記チューナ管理フラグ乗算部の乗算結果に基づき、前記チューナ切替部への切替制御信号を出力するチューナ管理フラグ乗算結果判定部とで構成してもよい。前記チューナ管理フラグ乗算結果判別部より切替制御信号が出力された時、前記チャンネル管理フラグ部のフラグの値及び前記チューナ管理フラグ部のフラグの値を初期値に設定することが好ましい。
【００２１】
また、前記チューナ判別部を、前記複数のチューナ部のうち選択されたチューナ部の数を算出するチューナ数算出部と、前記チューナ数算出部の算出結果に基づき、全てのチューナ部が選択されたと判別された場合、前記チューナ切替部への切替制御信号を出力するチューナ数算出結果判定部とで構成してもよい。
【００２２】
また本発明の放送受信装置において、前記映像・音声処理部より出力された映像信号により映像を表示するディスプレイ部と、前記映像・音声処理部より出力された音声信号により音声を出力するスピーカ部を更に備えてもよい。あるいは前記映像・音声処理部の出力信号を外部に出力する映像・音声出力部を更に備えてもよい。
【００２３】
また、本発明のリモコンは、異なる放送形態を受信し、かつそれぞれが複数のチャンネルを選択可能な複数のチューナ部と、前記複数のチューナ部から出力された信号を処理する映像・音声処理部とを備えた放送受信装置に使用されるリモコンであって、前記複数のチューナ部から出力される信号の１つを選択し前記映像・音声出力部に出力するリモコンチューナ切替部と、前記複数のチューナ部のうち１つのチューナ部の全てのチャンネルが選択されたか否かを判別するリモコンチャンネル判別部と、少なくとも前記リモコンチューナ切替部の動作を制御するリモコン制御部とを備え、前記リモコン制御部は、前記リモコンチャンネル判別部により前記複数のチューナ部のうち１つのチューナ部の全てのチャンネルが選択されたと判別された場合、前記リモコンチューナ切替部により前記映像・音声処理部への入力信号を自動的に他のチューナ部からの信号に切り替えることを特徴とする。
【００２４】
上記本発明のリモコンにおいて、前記リモコンチャンネル判別部を、前記複数のチューナ部の各々のチューナ部のチャンネル情報の１つ１つに割り当てられ、チャンネルが選択されたときに値が変化する複数のフラグを有するチャンネル管理フラグ部と、前記チャンネル管理フラグ部のチューナ部毎のフラグの値を乗算するチャンネル管理フラグ乗算部と、前記チャンネル管理フラグ乗算部の乗算結果に基づき、全てのチャンネルが選択されたと判別された場合、前記リモコンチューナ制御部へのチューナ切替要求信号を出力するチャンネル管理フラグ乗算結果判別部とで構成してもよい。
【００２５】
同様に、前記リモコンチャンネル判別部を、前記複数のチューナ部の各々のチューナ部において選択されたチャンネルの数を算出するチャンネル数算出部と、前記チャンネル数算出部の算出結果に基づき、全てのチャンネルが選択されたかと判別された場合、前記リモコンチューナ制御部へのチューナ切替要求信号を出力するチャンネル数算出結果判定部とで構成してもよい。
【発明の効果】
【００２６】
本発明の放送受信装置及びリモコンによれば、ザッピング操作においてチューナ選択操作を不要とすることができる。
【発明を実施するための最良の形態】
【００２７】
以下、本発明を実施するための最良の形態について、図面を参照しながら説明する。
【００２８】
（実施の形態１）
図１は、本発明の実施の形態１における放送受信装置の構成図である。図１において、放送受信装置は、アンテナ１０１、１０３をそれぞれ備えた第１及び第２のチューナ部１０２、１０４と、この第１及び第２のチューナ部１０２、１０４からの入力信号をチューナ制御部１１５からの信号１１４基づいて切り替えるチューナ切替部１０５、このチューナ切替部１０５の出力である映像信号・音声信号を処理する映像・音声処理部１０６、映像信号を映像に変換して表示するディスプレイ部１０７、音声信号を音声に変換して出力するスピーカ部１０８、ユーザの操作信号を出力するリモコン受光部１０９及びＳＷ部１１０、ラストチャンネル記憶部１１３、ファーストチューナ記憶部５０１、チャンネル判別部５０２、チューナ判別部５０３、及びこれら各構成要素の動作を制御するチューナ制御部１１５で構成されている。図中、図１７と同一機能を有する構成要素には同一の符号を付し、説明を省略する。以後も同様とする。
【００２９】
以下、図１の放送受信装置の動作を説明する。ファーストチューナ記憶部５０１にザッピング操作を開始した際のチューナ部を記憶しておき、チャンネル判別部５０２でチャンネルを全て選択したかどうかを判別し、あるいはチューナ判別部５０３でチューナを全て選択したかどうかを判別する。即ち、ユーザがリモコンやＳＷ部１１０のチャンネルアップダウン操作を行い始めた時点をザッピング操作開始とし、ザッピング操作を開始するチューナが、第１のチューナ部１０２あるいは第２のチューナ部１０４の何れであるのかをファーストチューナ部５０１に記憶する。以下、説明を容易に理解できるよう、ザッピングを開始するチューナ、つまりファーストチューナを第１のチューナ部１０２とした場合について説明する。
【００３０】
次に、チャンネル判別部５０２で、ユーザがリモコンやＳＷ部１１０のチャンネルアップダウン操作によって、第１のチューナ部１０２の選択可能なチャンネルを全て選択したかどうかを監視し、第１のチューナ部１０２の全てのチャンネルを選択したと判別した場合、チャンネル判別部５０２からチューナ制御部１１５を経由してチューナ判別部５０３へチューナ切替要求が行われる。チューナ判別部５０３では、チューナ切替要求を受信すると、第１のチューナ部１０２の全てのチャンネルが選択されたものと判別し、チューナ制御部１１５を経由して、チューナ切替部１０５に対しチューナ切替制御（１１４）を行い、第２のチューナ部１０４から出力された信号を画像・音声処理部１０６へ出力する。
【００３１】
ユーザがチャンネルアップダウン操作を続ける場合、チャンネル判定部５０２で第２のチューナ部１０４の選択可能なチャンネルを全て選択したかどうかを監視する。ユーザが第２のチューナ部１０４の全てのチャンネルを選択したと判別した場合、チャンネル判別部５０２からチューナ制御部１１５を経由して、チューナ判別部５０３へチューナ切替要求が行われる。チューナ判別部５０３は、チューナ切替要求を受信すると、第２のチューナ部１０４の全てのチャンネルが選択されたものと判別する。
【００３２】
第１のチューナ部１０２と第２のチューナ部１０４の両方が選択されたので、チューナ判別部５０３は内部で初期化処理を行い、第１のチューナ部１０２と第２のチューナ部１０４が未だ選択されていないと判別する初期状態に戻る。あわせて、チューナ判別部５０３からチューナ制御部１１５を経由してチャンネル判別部５０２に初期化要求を行い、チャンネル判別部５０２は第１のチューナ部１０２と第２のチューナ部１０４それぞれのチャンネルが全て未だ選択されていないと判別する初期状態に戻る。
【００３３】
あわせて、チューナ制御部１１５はファーストチューナ記憶部５０１からザッピングを開始したファーストチューナ情報を読み出す。この場合、ファーストチューナ情報は第１のチューナ部１０２を示すため、チューナ切替部１０５は第１のチューナ部１０２からの出力信号を画像・音声処理部１０６へ出力する。
【００３４】
図２は、本実施の形態１におけるチャンネル判別部５０２の構成図である。以下、チャンネル判別部５０２の動作を説明する。
第１のチューナ部１０２に対応した第１のチューナ部のチャンネル判別部６０１において、チャンネル管理フラグ部６０２の値をチャンネル管理フラグ乗算部６０３で乗算し、チャンネル管理フラグ乗算結果判定部６０４で乗算結果が１であるかどうかを判定する。同様に、第２のチューナ部のチャンネル判別部６０５において、チャンネル管理フラグ部６０６の値をチャンネル管理フラグ乗算部６０７で乗算し、チャンネル管理フラグ乗算結果判定部６０８で乗算結果が１であるかどうかを判定する。
【００３５】
図３は、本実施の形態１におけるチャンネル管理フラグ部６０２とチャンネル管理フラグ乗算部６０３の処理の流れを示した図であり、以下、第１のチューナ部のチャンネル判別部６０１の動作について説明する。
図３において、７０２に示すチャンネル管理フラグ部６０２とチャンネル管理フラグ乗算部６０３の初期状態から、第１のチューナ部のチャンネル情報３０１の何れか１つを選択する操作（７０３）をすると、７０４に示すように第１のチューナ部のチャンネル情報３０１の１つ１つに割り当てられたチャンネル管理フラグ部６０２のフラグ７０１が変化し、更に第１のチャンネル部のチャンネル情報の全てを順次選択する操作（７０５）をすると、全てのチャンネルを選択操作した際のチャンネル管理フラグ部６０２とチャンネル管理フラグ乗算部６０３は７０６に示す状態になる。
【００３６】
上記構成によれば、チャンネル管理フラグ部６０２において、第１のチューナ部１０２で選択できるチャンネルの全てを示す第１のチューナ部のチャンネル情報３０１の１つ１つについて、初期値は０、ユーザから選択された際に１となるフラグ７０１を割り当て、チャンネル管理フラグ乗算部６０３で、チャンネル管理フラグ部６０２のフラグ７０１の全てを乗算する。
【００３７】
初期状態では、チャンネル管理フラグ部６０２のフラグ７０１全てが０であることから、チャンネル管理フラグ乗算部６０３の値は０である。ユーザが、例えば第１のチューナ部のチャンネル情報３０１の中から４チャンネルを選択（７０３）した場合、７０４に示すように、それに相対したチャンネル管理フラグ部６０２のフラグ７０１が１になる。しかしながら、チャンネル管理フラグ乗算部６０３の値は０である。
【００３８】
ユーザがリモコンやＳＷ部１１０でチャンネルアップダウン操作を行うことで、第１のチューナ部のチャンネル情報３０１の全てを選択（７０５）した場合、７０６に示すようにチャンネル管理フラグ部６０２のフラグの値は全て１になるので、チャンネル管理フラグ乗算部６０３の値は１となる。図２より、チャンネル管理フラグ乗算部６０３の値が１になると、チャンネル管理フラグ乗算結果判定部６０４では、第１のチューナ部のチャンネル情報３０１の全てが選択されたと判別し、チューナ判別部５０３へチューナ切替要求を行い、チューナ制御部１１５を経由してチューナ切替部１０５へチューナ切替制御１１４が行われる。
【００３９】
チャンネル管理フラグ部６０２で、フラグの値が初期値０の状態から、ユーザからの選択により１となった以降、第１のチャンネル判別部６０１に対して初期化要求がなされるまでは１の値を保持し続ける。すなわち、図３において、ユーザのチャンネルアップ操作により、例えば第１のチューナ部のチャンネル情報３０１の全てではない幾つかが選択されている状態で、チャンネル管理フラグ部６０２の全てではない幾つかの値が１となり、その他の値は０となっている状態から、ユーザが操作内容を変更してチャンネルダウン操作を行い、既に選択済みの、つまりフラグ７０１の値が１であるチャンネル情報３０１を再度選択しても、７０１の値は１のままである。
【００４０】
なお、本実施の形態１において、第１のチューナ部１０２のチャンネル判別部６０１の動作を説明したが、第２のチューナ部１０４のチャンネル判別部６０５の動作も同じである。故に、ユーザの操作がチャンネルアップ操作からチャンネルダウン操作に、あるいはチャンネルダウン操作からチャンネルアップ操作に、あるいは１つの操作方法から別の操作方法に変化しても、チャンネル判別部５０２で第１のチューナ部１０２と第２のチューナ部１０４の全てのチャンネルが選択されたことを判別することは可能である。
【００４１】
図４は、本実施の形態１におけるチューナ判別部の構成図である。図４において、第１のチューナ部１０２、あるいは第２のチューナ部１０４のチューナ管理フラグ部８０１の値をチューナ管理フラグ乗算部８０２で乗算し、チューナ管理フラグ乗算結果判定部８０３で乗算結果が１であるかどうかを判定する。
【００４２】
図５は、本実施の形態１におけるチューナ管理フラグ部８０１とチューナ管理フラグ乗算部８０２の処理の流れを示した図である。図５において、９０２に示すチューナ管理フラグ部８０１とチューナ管理フラグ乗算部８０２の初期状態から、第１のチューナ部１０２の全てのチャンネル情報がユーザから選択（９０３）されると、第１のチューナ部１０２と第２のチューナ部１０４に割り当てられたチューナ管理フラグ部８０１のフラグ９０１が変化して９０４に示す状態となり、さらに、第２のチューナ部１０４のチャンネル情報全てがユーザから選択（９０５）されると、９０６に示す状態となる。
【００４３】
以下、チューナ判別部５０３の動作を説明する。放送受信装置に備えられた第１のチューナ部１０２と第２のチューナ部１０４のそれぞれに、初期値は０、チャンネル判別部５０２からチューナ判別部５０３へのチューナ切替要求を、チューナ制御部１１５を経由して入力した際に１となるフラグ９０１をチューナ管理フラグ部８０１で割り当て、チューナ管理フラグ乗算部８０２でフラグ９０１の全てを乗算する。
【００４４】
図５の９０２に示す初期状態では、チューナ管理フラグ部８０１のフラグ９０１の全てが０であることから、チューナ管理フラグ乗算部８０２の値は０である。例えば、第１のチューナ部１０２のチャンネル判別部６０１のチャンネル管理フラグ乗算結果判定部６０４が第１のチューナ部のチャンネル情報３０１の全てを選択したと判別し、チューナ制御部１１５へチャンネル切替要求信号を出力する際、９０４に示すようにチューナ管理フラグ部８０１の第１のチューナ部１０２に対応するフラグ９０１が１になる。しかし、チューナ管理フラグ乗算部８０２の値は０である。
【００４５】
ユーザが続けてチャンネルアップダウン操作を行い、第２のチューナ部のチャンネル判別部６０５のチャンネル管理フラグ乗算結果判定部６０８が第２のチューナ部１０４のチャンネル情報の全てを選択（９０５）したと判別し、チューナ制御部１１５へチャンネル切替要求信号を出力する際、９０６に示すようにチューナ管理フラグ部８０１の第２のチューナ部１０４に対応するフラグ９０１が１になり、チューナ管理フラグ部８０１のフラグの値は全て１になるので、チューナ管理フラグ乗算部８０２の値は１となる。
【００４６】
図４より、チューナ管理フラグ乗算部８０２の値が１になると、チューナ管理フラグ乗算結果判定部８０２では、放送受信装置に備えられたチューナのチャンネル情報の全てが選択されたと判別し、チューナ判別部５０３は、チューナ制御部１１５を経由してファーストチューナ記憶部５０１からファーストチューナ情報を読み出し、この情報に基づいてチューナ切替部１０５のチューナ切替制御（１１４）を行う。またチューナ管理フラグ部８０１に対し初期化要求を行い、フラグ９０１が全て初期値０となる。更に、チューナ制御部１１５を経由してチャンネル判別部５０２の第１のチューナ部のチャンネル管理フラグ部６０２と、第２のチューナ部のチャンネル管理フラグ部６０６に初期化要求を行い、それぞれのチャンネル管理フラグが全て初期値０となる。
【００４７】
なお、放送受信装置の使用形態によっては一部のチューナ部について選択できない場合もあるが、選択できないチューナ部については、チューナ管理フラグ部８０１の初期値を１とするか、もしくはチューナ管理フラグ乗算部８０２での乗算結果に含めないものとする。
また図１において、チューナ制御部１１５で、リモコン信号やＳＷ操作信号を一定時間受信しない場合にはユーザが受信するチャンネルを選択したと判別し、チャンネル判別部５０２とチューナ判別部５０３へ初期化要求を行う。
【００４８】
（実施の形態２）
図６は、本発明の実施の形態２におけるチャンネル判別部５０２の構成図である。本実施の形態２は、チャンネル判別部５０２と後述するチューナ判別部５０３の構成が実施の形態１と異なっている。  
図６において、第１のチューナ部のチャンネル判別部６０１のチャンネル数算出部１００１の算出結果をチャンネル数算出結果判定部１００２で判定し、あるいは、第２のチューナ部のチャンネル判別部６０５のチャンネル数算出部１００３の算出結果をチャンネル数算出結果判定部１００４で判定する。
【００４９】
以下、チャンネル判別部５０２の動作について具体的に説明する。第１のチューナ部のチャンネル判別部６０１において、チャンネル数算出部１００１には、第１のチューナ部のチャンネル情報３０１に含まれるチャンネル数の合計値Ｎが予め設定されており、チャンネル数算出部１００１の算出結果Ｔの初期値は、
Ｔ＝Ｎ    ・・・  式１
である。算出結果Ｔについて、状態変化により、下記に示す算出を行うに当たり、算出前をＴ（−１）、算出後をＴ（＋１）とすると、式１は、
Ｔ（＋１）＝Ｔ（−１）＝Ｎ  ・・・  式２
となる。この初期状態から、チャンネルアップ操作である場合は、
Ｔ（＋１）＝Ｔ（−１）＋１  ・・・  式３
の算出を行い、チャンネルダウン操作である場合は、
Ｔ（＋１）＝Ｔ（−１）−１  ・・・  式４
の算出を行う。Ｔ（＋１）は次の算出を行う前に、Ｔ（−１）に代入される。チャンネル数算出結果判定部１００４でＴ（＋１）を監視し、
Ｔ（＋１）＝２×Ｎ−１  ・・・  式５
あるいは、
Ｔ（＋１）＝１  ・・・  式６
の何れかである場合、第１のチューナ部のチャンネル情報３０１の全てが選択されたと判別し、チューナ制御部１１５へチューナ切替要求信号を出力する。チャンネル判別部５０２からチューナ制御部１１５へチューナ切替要求信号を出力した以降の処理は、実施の形態１記載の内容と同じである。
【００５０】
図７は、本実施の形態２におけるチューナ判別部５０３の構成図である。図７において、１１０１はチューナ数算出部、１１０２はチューナ数算出結果判定部である。
以下、チューナ判別部５０３の動作を説明する。チューナ数算出部１１０１には、放送受信装置に備えられたチューナ数Ｂが予め記録されており、チューナ数算出部１１０１での算出結果Ｇの初期値は、
Ｇ＝Ｂ    ・・・  式７
である。算出結果Ｇについて、状態変化により、下記に示す算出を行うに当たり、算出前をＧ（−１）、算出後をＧ（＋１）とすると、式７は、
Ｇ（＋１）＝Ｇ（−１）＝Ｂ  ・・・  式８
となる。この初期状態から、チューナ制御部１１５からチューナ切替部１０５へチューナ切替制御信号１１４を出力した際に、チューナ制御部１１５からチューナ数算出部１１０１へチューナ数カウントダウン信号が出力され、チューナ数算出部１１０１で、  
Ｇ（＋１）＝Ｇ（−１）−１  ・・・  式９
の算出を行う。Ｇ（＋１）は次の算出を行う前にＧ（−１）に代入される。
チューナ数算出結果判定部１１０２でＧ（＋１）を監視し、
Ｇ（＋１）＝１  ・・・  式１０
である場合、放送受信装置に備えられたチューナの全てが選択されたと判別し、チューナ制御部１１５を経由して、チャンネル数算出部１００１及び１００３に初期化要求を行い、また、チューナ数算出部１１０１に初期化要求を行い、式２あるいは式８の初期状態にする。
一方、式７の代わりに、チューナ数算出部１１０１での算出結果Ｇの初期値を、
Ｇ＝０    ・・・  式１１
とすることもできる。この場合、式１１の初期状態から、チューナ制御部１１５からチューナ切替部１０５へチューナ切替制御信号１１４を出力した際に、チューナ制御部１１５からチューナ数算出部１１０１へチューナ数カウントアップ信号が出力され、チューナ数算出部１１０１で、  
Ｇ（＋１）＝Ｇ（−１）＋１  ・・・  式１２
の算出を行う。Ｇ（＋１）は次の算出を行う前に、Ｇ（−１）に代入される。
チューナ数算出結果判定部１１０２でＧ（＋１）を監視し、
Ｇ（＋１）＝２×Ｂ−１  ・・・  式１３
である場合、放送受信装置に備えられたチューナの全てが選択されたと判別し、チューナ制御部１１５を経由して、チャンネル数算出部１００１及び１００３に初期化要求を行い、また、チューナ数算出部１１０１に初期化要求を行い、式２あるいは式１１の初期状態にする。なお、上記以外の処理は、実施の形態１記載の内容と同じである。
【００５１】
（実施の形態３）
図８は、本発明の構成をセットトップボックス部（以下ＳＴＢ部という）とＰＤＰパネル部の２体で構成された放送受信装置に採用した実施の形態３におけるＳＴＢ部の構成図である。図８において、２体型送信ＩＦ部１２０１でＰＤＰパネル部と制御信号１２０２を交換する。また図９は、本実施の形態３におけるＰＤＰパネル部の構成図である。図９において、ＰＤＰパネル部を制御するＣＰＵ部１３０２の制御信号１３０３を２体型受信ＩＦ部１３０１を介してＳＴＢ部と交換する。
【００５２】
本実施の形態３の構成によれば、図８に示すＳＴＢ部の２体型送信ＩＦ部１２０１と図９に示すＰＤＰパネル部の２体型受信ＩＦ部１３０１をケーブルなどで接続し、実施の形態１と同様の制御を行うことにより、２体で構成される放送受信装置のザッピング操作においてチューナの選択操作が不要となる。
【００５３】
（実施の形態４）
図１０は、本発明の実施の形態４におけるＳＴＢの構成図である。実施の形態１と異なり、本実施の形態では、映像・音声処理部１０６の出力信号を映像・音声出力部１４０１から外部に出力する。
【００５４】
図１０に示す構成のＳＴＢは、ユーザが別に用意する映像信号や音声信号を外部から入力して映像表示・音声出力できるテレビなどと接続して使用され、実施の形態１と同様の制御を行うことにより、ザッピング操作においてチューナの選択操作が不要となる。
【００５５】
なお、上記本発明の実施の形態１乃至４において、第１のチューナ部１０２で受信する放送形態と、第２のチューナ部１０４で受信する放送形態は異なるものとしたが、同じであっても良い。また、ザッピングが開始されるチューナを第１のチューナ部１０２としたが、第２のチューナ部１０４であっても同様の効果が得られる。
【００５６】
また、チャンネル判別部５０２からチューナ判別部５０３へのチューナ切替要求を、チューナ制御部１１５を経由して行うとしたが、チャンネル判別部５０２からチューナ判別部５０３及びチューナ制御部１１５のそれぞれへ、直接チューナ切替要求しても同様の効果が得られる。あるいは、チャンネル判別部５０２からチューナ判別部５０３とチューナ制御部１１５、チューナ切替部１０５のそれぞれへ直接チューナ切替要求しても同様の効果が得られる。
【００５７】
また、チューナ判別部５０３において、第１のチューナ部のチャンネル情報の全てが選択された後に、第２のチューナ部のチャンネル情報の全てが選択されるとしたが、最初に第２のチューナ部のチャンネル情報の全てが選択され、次に、第１のチューナ部のチャンネル情報の全てが選択されるとしても同様の効果が得られる。
【００５８】
また、放送受信装置に備えられたチューナを第１のチューナ部１０２と第２のチューナ部１０４の２個としたが、Ｎ個（Ｎは３以上の整数）であっても、それぞれのチューナに対応するＮ個のチャンネル判別部を備えることで、同様の効果が得られる。
【００５９】
また、チューナ判別部５０３からチューナ制御部１１５を介してチャンネル判別部５０２へ初期化要求するとしたが、チューナ判別部５０３からチャンネル判別部５０２へ直接、初期化要求しても良い。また、チャンネル判別部５０２で全てのチャンネルが選択されたと判別し、チャンネル判別部５０２からチューナ判別部５０３へチューナ切替要求し、チューナ制御部１１５を経由してチューナ切替部１０５へチューナ切替制御（１１４）するとしたが、リモコン受光部１０９で受信したリモコン信号や、ＳＷ部１１０のＳＷ操作信号で、直接チューナ選択操作を受信する、あるいは同じチャンネルを複数回続けて選択する、あるいは１つのチャンネルを選択し続けるなど、チャンネルアップやチャンネルダウン以外の操作を受信した際にも、チューナ制御部１１５からチューナ切替部１０５へチューナ切替制御（１１４）しても良い。この場合、リモコン信号やＳＷ操作信号でチューナ選択信号を受信した際に、チューナ制御部１１５からチャンネル判別部５０２とチューナ判別部５０３に初期化要求を行う。
【００６０】
また、チャンネル判別部５０２の構成とチューナ判別部５０３の構成に関し、実施の形態１では、チャンネル判別部５０２はチャンネル管理フラグ７０１を利用し、チューナ判別部５０３はチューナ管理フラグ９０１を利用した処理を行い、実施の形態２では、チャンネル判別部５０２はチャンネル数算出部１００１を利用し、チューナ判別部５０３はチューナ数算出部１１０１を利用した処理を行うとしたが、チャンネル判別部５０２がチャンネル管理フラグ７０１を利用する一方、チューナ判別部５０３はチューナ数算出部１１０１を利用した処理を行い、あるいは、チャンネル判別部５０２はチャンネル数算出部１００１を利用する一方、チューナ判別部５０３はチューナ管理フラグ９０１を利用した処理を行うように、実施の形態１に示すチャンネル判別部５０２の構成、あるいはチューナ判別部５０３の構成と、実施の形態２に示すチャンネル判別部５０２の構成、あるいはチューナ判別部５０３の構成をそれぞれ入れ替えても同様の効果が得られる。
【００６１】
また、ファーストチューナ記憶部５０１にザッピング開始時のチューナを記憶し、チューナ判別部５０３で全てのチューナが選択されたと判別した後、チューナ制御部１１５がファーストチューナ記憶部５０１からファーストチューナ情報を読み出し、その情報を元にチューナ切替部１０５へチューナ切替制御（１１４）を行うとしたが、チューナ制御部１１５に、放送受信装置に備えられた複数のチューナのザッピングを行う順番を予め設定しておき、その順番に従ってチューナを切り替えても同様の効果が得られる。この場合、ファーストチューナ記憶部５０１とチューナ判別部５０３の何れか、あるいは両方がなくても同様の効果が得られる。
【００６２】
（実施の形態５）
図１１は、本発明の実施の形態５におけるリモコンの外観図である。本実施の形態５は実施の形態１で放送受信装置本体が備えたザッピング操作におけるチューナ自動選択の機能をリモコン上で実現したものである。
図１１において、第１のチューナ選択ＳＷ部１５０３を選択して第１のチャンネルＳＷ部１５０１の操作情報や、第２のチューナ選択ＳＷ部１５０４を選択して第２のチャンネルＳＷ部１５０２の操作情報、チャンネルアップＳＷ部１５０５の操作情報、チャンネルダウンＳＷ部１５０６の操作情報は、リモコン信号出力部１５０７から出力される。
【００６３】
図１２は、本実施の形態５におけるリモコンの構成図である。図１２において、リモコンチャンネル判別部１６０１で第１のチャンネルＳＷ部１５０１あるいは第２のチャンネルＳＷ部１５０２の全てのチャンネルが選択されたかどうかを判定してリモコンチューナ切替部１６０２を切替える、あるいはリモコン制御部１６０３でリモコン信号出力部１５０７から出力するリモコン信号を生成する。
【００６４】
上記構成において、第１のチャンネルＳＷ部１５０１、あるいは第２のチャンネルＳＷ部１５０２のチャンネル全てをユーザが選択したかどうかをリモコンチャンネル判別部１６０１で判別し、ユーザが全てのチャンネルを選択したと判別した際、リモコンチャンネル判別部１６０１からリモコンチューナ切替部１６０２へチューナ切替制御を行う。
【００６５】
リモコンチューナ切替部１６０２では、リモコン制御部１６０３を介してリモコン信号出力部１５０７から出力しているチャンネルが、第１のチャンネルＳＷ部１５０１と第２のチャンネルＳＷ部１５０２の何れであるのかをフィードバックし、１つのチャンネルアップＳＷ部１５０５と１つのチャンネルダウンＳＷ部１５０６の何れが操作された場合においても、それが、第１のチャンネルＳＷ部１５０１と第２のチャンネルＳＷ部１５０２の何れに対する操作であるのかを判別できるようにしている。
【００６６】
また、リモコンチューナ切替部１６０２においては、第１のチューナ選択ＳＷ部１５０３が操作された場合は、第１のチャンネルＳＷ部１５０１の制御機能を選択し、第２のチューナ選択ＳＷ部１５０４が操作された場合は、第２のチャンネルＳＷ部１５０２の制御機能を選択する切替制御を行う。
【００６７】
図１３は、本実施の形態５におけるリモコンチャンネル判別部１６０１の構成図である。図１３において、第１のチャンネル判別部１７０１で第１のチャンネルＳＷ部１５０１のチャンネルが全て選択されたかどうかを判別し、第２のチャンネル判別部１７０２で第２のチャンネルＳＷ部１５０２のチャンネルが全て選択されたかどうかを判別する。あるいは、リモコンチューナ切替部１６０２からの制御信号１７０３を第１のチャンネル判別部１７０１のチャンネル管理フラグ部６０２へ伝送してリセットなどを行う。同様に、リモコンチューナ切替部１６０２からの制御信号１７０４を第２のチャンネル判別部１７０２のチャンネル管理フラグ部６０６へ伝送してリセットなどを行う。
【００６８】
本実施の形態においては、第１のチャンネル判別部１７０１を実施の形態１で説明したチャンネル管理フラグ部６０２、チャンネル管理フラグ乗算部６０３とチャンネル管理フラグ乗算結果判定部６０４で構成し、同様に、第２のチャンネル判別部１７０２をチャンネル管理フラグ部６０６、チャンネル管理フラグ部６０２とチャンネル管理フラグ乗算結果判定部６０８で構成している。
【００６９】
チャンネル管理フラグ乗算結果判定部６０４で第１のチャンネルＳＷ部１５０１のチャンネル全てを選択したと判別した際、あるいはチャンネル管理フラグ乗算結果判定部６０８で第２のチャンネルＳＷ部１５０２のチャンネル全てを選択したと判別した際、チャンネル管理フラグ乗算結果判定部６０４あるいは６０８より、リモコンチューナ切替部１６０２に対してチューナ切替制御を行い、第１のチャンネルＳＷ部１５０１から第２のチャンネルＳＷ部１５０２へ切替えられた際には、リモコンチューナ切替部１６０２から第１のチャンネル判別部１７０１のチャンネル管理フラグ部６０２へ初期化要求１７０３を、あるいは第２のチャンネルＳＷ部１５０２から第１のチャンネルＳＷ部１５０１へ切替えられた際には、リモコンチューナ切替部１６０２から第２のチャンネル判別部１７０２のチャンネル管理フラグ部６０６へ初期化要求１７０４を行う。なお、チャンネル管理フラグ部６０２、６０６、チャンネル管理フラグ乗算部６０３、６０７、チャンネル管理フラグ乗算結果判定部６０４、６０８の動作は実施の形態１と同様であるため説明を省略する。
【００７０】
（実施の形態６）
図１４は、本発明の実施の形態６におけるリモコンチャンネル判別部１６０１の構成図である。本実施の形態はチャンネル判別部の構成が実施の形態５と異なっている。
【００７１】
本実施の形態では、実施の形態５で示した第１のチャンネル判別部１７０１を、実施の形態２で説明したチャンネル数算出部１００１とチャンネル数算出結果判定部１００２で構成し、同様に、第２のチャンネル判別部１７０２をチャンネル数算出部１００３とチャンネル数算出結果判定部１００４で構成している。
【００７２】
チャンネル数算出結果判定部１００２で第１のチャンネルＳＷ部１５０１のチャンネル全てを選択したと判別した際、あるいはチャンネル数算出結果判定部１００４で第２のチャンネルＳＷ部１５０２のチャンネル全てを選択したと判別した際、チャンネル数算出結果判定部１００２あるいは１００４よりリモコンチューナ切替部１６０２に対してチューナ切替制御を行い、第１のチャンネルＳＷ部１５０１から第２のチャンネルＳＷ部１５０２へ切替えられた際には、リモコンチューナ切替部１６０２から第１のチャンネル判別部１７０１のチャンネル数算出部１００１へ初期化要求１７０３を、あるいは第２のチャンネルＳＷ部１５０２から第１のチャンネルＳＷ部１５０１へ切替えられた際には、リモコンチューナ制御部１６０２から第２のチャンネル判別部１７０２のチャンネル数算出部１００３へ初期化要求１７０４を行う。
【００７３】
図１５に、本発明の放送受信装置およびリモコンによるザッピング操作のイメージを示す。本発明のザッピング操作によれば、図１９に示す従来のザッピング操作と比較し、チューナ切替操作３０４が不要となる。
【００７４】
図１６は、本発明の放送受信装置およびリモコンによるザッピング操作のフローである。本発明のザッピング操作によれば、例えば、ユーザが第１のチューナ部のチャンネル情報３０１を視聴時に、ザッピング操作を開始（ステップ４０１）するものとし、第１のチューナ部１０２のチャンネル情報３０１を一度チャンネルアップダウン操作（３０３）した後に、第２のチューナ部１０４のチャンネル情報３０２を視聴するとユーザが判断（ステップ４０２）した後、ザッピング操作終了（ステップ４０３）するまでの最短ステップ数は、ザッピング操作開始（ステップ４０１）とザッピング操作終了（ステップ４０３）を除くと３ステップであり、同様のザッピング操作を従来の方法で行った場合７ステップであったことに比較してステップ数は半分以下となり、ザッピング操作が煩わしいという課題は解消される。
【００７５】
なお、本発明の実施の形態１乃至６において、ザッピング操作をチャンネルアップダウン操作としたが、チャンネルそのものを直接選局する操作を行っても同様の効果が得られる。
【産業上の利用可能性】
【００７６】
本発明にかかる放送受信装置およびリモコンによれば、ザッピング操作におけるチューナの切替操作が不要となるので、複数の放送形態が受信できる放送受信装置、あるいはこれに用いるリモコンにとして有用である。
【図面の簡単な説明】
【００７７】
【図１】本発明の実施の形態１における放送受信装置の構成図
【図２】本発明の実施の形態１におけるチャンネル判別部の構成図
【図３】本発明の実施の形態１におけるチャンネル管理フラグ部とチャンネル管理フラグ乗算部の処理の流れを示す説明図
【図４】本発明の実施の形態１におけるチューナ判別部の構成図
【図５】本発明の実施の形態１におけるチューナ管理フラグ部とチューナ管理フラグ乗算部の処理の流れを示す説明図
【図６】本発明の実施の形態２におけるチャンネル判別部の構成図
【図７】本発明の実施の形態２におけるチューナ判別部の構成図
【図８】本発明の実施の形態３における２体から成る放送受信装置のＳＴＢ部の構成図
【図９】本発明の実施の形態３における２体から成る放送受信装置のＰＤＰパネル部の構成図
【図１０】本発明の実施の形態４における放送受信装置のＳＴＢの構成図
【図１１】本発明の実施の形態５におけるリモコンの外観図
【図１２】本発明の実施の形態５におけるリモコンの構成図
【図１３】本発明の実施の形態５におけるリモコンチャンネル判別部の構成図
【図１４】本発明の実施の形態６におけるリモコンチャンネル判別部の構成図
【図１５】本発明の放送受信装置およびリモコンによるザッピング操作のイメージ図
【図１６】本発明の放送受信装置およびリモコンによるザッピング操作のフローを示す図
【図１７】従来の放送受信装置の構成図
【図１８】チューナの役割を示す図
【図１９】従来の放送受信装置におけるザッピング操作のイメージ図
【図２０】従来の放送受信装置におけるザッピング操作のフローを示す図
【符号の説明】
【００７８】
１０１  第１のアンテナ
１０２  第１のチューナ部
１０３  第２のアンテナ
１０４  第２のチューナ部
１０５  チューナ切替部
１０６  映像・音声処理部
１０７  ディスプレイ部
１０８  スピーカ部
１０９  リモコン受光部
１１０  ＳＷ部
１１５  チューナ制御部
５０１  ファーストチューナ記憶部
５０２  チャンネル判別部
５０３  チューナ判別部
６０１  第１のチューナ部のチャンネル判別部
６０２、６０６  チャンネル管理フラグ部
６０３、６０７  チャンネル管理フラグ乗算部
６０４、６０８  チャンネル管理フラグ乗算結果判定部
６０５  第２のチューナ部のチャンネル判別部
７０１  チャンネル管理フラグ
８０１  チューナ管理フラグ部
８０２  チューナ管理フラグ乗算部
８０３  チューナ管理フラグ乗算結果判定部
９０１  チューナ管理フラグ
１００１、１００３  チャンネル数算出部
１００２、１００４  チャンネル数算出結果判定部
１１０１  チューナ数算出部
１１０２  チューナ数算出結果判定部
１２０１  ２体型送信ＩＦ部
１３０１  ２体型受信ＩＦ部
１３０２  ＣＰＵ部
１４０１  映像・音声出力部
１５０１  第１のチャンネルＳＷ部
１５０２  第２のチャンネルＳＷ部
１５０３  第１のチューナ選択ＳＷ部
１５０４  第２のチューナ選択ＳＷ部
１５０５  チャンネルアップＳＷ部
１５０６  チャンネルダウンＳＷ部
１５０７  リモコン信号出力部
１６０１  リモコンチャンネル判別部
１６０２  リモコンチューナ切替部
１６０３  リモコン制御部
１７０１  第１のチャンネル判別部
１７０２  第２のチャンネル判別部
【図１】
2006319797.tif 000003
【図２】
2006319797.tif 000004
【図３】
2006319797.tif 000005
【図４】
2006319797.tif 000006
【図５】
2006319797.tif 000007
【図６】
2006319797.tif 000008
【図７】
2006319797.tif 000009
【図８】
2006319797.tif 000010
【図９】
2006319797.tif 000011
【図１０】
2006319797.tif 000012
【図１１】
2006319797.tif 000013
【図１２】
2006319797.tif 000014
【図１３】
2006319797.tif 000015
【図１４】
2006319797.tif 000016
【図１５】
2006319797.tif 000017
【図１６】
2006319797.tif 000018
【図１７】
2006319797.tif 000019
【図１８】
2006319797.tif 000020
【図１９】
2006319797.tif 000021
【図２０】
2006319797.tif 000022